(57)【要約】【課題】安価なコストで取り付けることができる角保護具及びその角保護具で補強された箱状容器を提供する。【解決手段】箱状容器の角部に取り付ける角保護具２０であって、箱状容器の角部付近の底面を覆う底面保護板２１と、底面保護板２１と一体的に形成され、箱状容器の側面を覆う側面保護板２２と、ヒンジ部２３を介して底面保護板２１と繋がっており、ヒンジ部２３に沿って折り曲げることで箱状容器を噛みこんで保持する羽根部２４とを備えた角保護具２０が提供される。【選択図】図６
0003199044.tif 000002
【実用新案登録請求の範囲】
【請求項１】
箱状容器の角部に取り付ける角保護具であって、
前記箱状容器の角部付近の底面を覆う底面保護板と、
前記底面保護板と一体的に形成され、前記箱状容器の側面を覆う側面保護板と、
ヒンジ部を介して前記底面保護板と繋がっており、前記ヒンジ部に沿って折り曲げることで前記箱状容器を噛みこんで保持する羽根部と、
を備えたことを特徴とする角保護具。
【請求項２】
前記羽根部は、前記側面保護板と係合して羽根部が前記箱状容器に噛みこんだ状態を保つロック部を有することを特徴とする請求項１に記載の角保護具。
【請求項３】
前記羽根部は、前記箱状容器側に突き出た突出片を備え、該突出片が前記箱状容器を開口に挿入されることで、前記箱状容器が該突出片と前記底面保護板又は前記側面保護板とによって挟まれて保持されることを特徴とする請求項１又は請求項２に記載の角保護具。
【請求項４】
前記羽根部は、前記底面保護板の両側に２つ設けられていることを特徴とする請求項１に記載の角保護具。
【請求項５】
前記羽根部は、前記主保護板の片側に１つ設けられていることを特徴とする請求項１に記載の角保護具。
【請求項６】
前記ロック部は、前記側面保護板に係合する爪部を有していることを特徴とする請求王１乃至請求項５のいずれか１項に記載の角保護具。
【請求項７】
前記ロック部は、前記側面保護板と前記箱状容器の側面との隙間に挟まれて前記側面保護板に係合することを特徴とする請求項１乃至請求項６のいずれか１項に記載の角保護具。
【請求項８】
箱状の本体と、
前記本体の角部付近の底面を覆う底面保護板と、前記底面保護板と一体的に形成され、前記本体の側面を覆う側面保護板と、ヒンジ部を介して前記底面保護板と繋がっており、前記ヒンジ部に沿って折り曲げることで前記本体を噛みこんで保持する羽根部と、を備えた角保護具と、
を備えたことを特徴とする箱状容器。
【考案の詳細な説明】
【技術分野】
【０００１】
本考案は、角保護具及びその角保護具で補強された箱状容器に関する。
【背景技術】
【０００２】
従来、樹脂シートや厚紙を箱状に組み立てて形成される箱状容器が各種提案されている。
【０００３】
このような箱状容器として、例えば、箱型の本体とその本体に持手を取り付けた手提げ型の書類ホルダー、鞄、レタートレイ、ボックスファイル、箱状の引出し等がある。
【０００４】
従来の箱状容器は、樹脂シートや厚紙の強度が弱いことから、使用しているうちに角部に割れや破れが生じやすいという欠点がある。この欠点を解消するべく、角部に補強部材を取り付ける方法が提案されている。
【０００５】
ところが、従来の補強部材は、その取付けにリベット留め、溶着又は接着等のコストのかかる機械加工を行う必要があり、安価な価格帯の商品に適用することが困難であった。
【先行技術文献】
【特許文献】
【０００６】
【特許文献１】特開２００３−３０４９１９号公報
【特許文献２】意匠登録第１１４９１７０号公報
【考案の概要】
【考案が解決しようとする課題】
【０００７】
そこで、安価なコストで取り付けることができる角保護具及びその角保護具で補強された箱状容器を提供することを目的とする。
【課題を解決するための手段】
【０００８】
下記の開示の一観点によれば、箱状容器の角部に取り付ける角保護具であって、前記箱状容器の角部付近の底面を覆う底面保護板と、前記底面保護板と一体的に形成され、前記箱状容器の側面を覆う側面保護板と、ヒンジ部を介して前記底面保護板と繋がっており、前記ヒンジ部に沿って折り曲げることで前記箱状容器を噛みこんで保持する羽根部と、を備えた角保護具が提供される。
【考案の効果】
【０００９】
上記観点の角保護具によれば、底面保護板及び側面保護板を箱状容器の底面及び側面の角部付近に配置し、さらに羽根部を組み立てることで、羽根部を含む角保護具が箱状容器に噛み込んで装着される。羽根部を折り曲げる工程は、手作業で行うことができるため、コストのかかる機械加工を行うことなく角保護具を箱状容器に取り付けられる。
【００１０】
これにより、低価格で箱状容器の底部の角の補強を行うことができ、低価格帯の商品の補強に好適である。
【図面の簡単な説明】
【００１１】
【図１】図１は、本考案の実施形態に係る手提げ鞄（箱状容器）の斜視図である。
【図２】図２は、第１実施形態に係る角保護具の斜視図である。
【図３】図３は、図２の角保護具を展開した状態で示す斜視図である。
【図４】図４は、図２の角保護具を手提げ鞄の底面に当てた状態を示す斜視図である。
【図５】図５（ａ）及び図５（ｂ）は、図２の角保護具を図１の手提げ鞄に装着した状態の断面図である。
【図６】図６（ａ）は、第１実施形態の実施例に係る角保護具を展開した状態で示す斜視図であり、図６（ｂ）は図６（ａ）の角保護具を組み立てた状態で示す斜視図である。
【図７】図７（ａ）は、第２実施形態に係る角保護具を展開した状態で示す斜視図であり、図７（ｂ）は図７（ａ）の角保護具を箱状容器に装着した状態で示す斜視図である。
【図８】図８（ａ）は、第３実施形態に係る角保護具を展開した状態で示す斜視図であり、図８（ｂ）は図８（ａ）の角保護具を組み立てた状態で示す斜視図である。
【図９】図９（ａ）は、図８（ａ）の角保護具の取り付け対象の鞄（箱状容器）の角部を拡大した斜視図であり、図９（ｂ）は図９（ａ）の鞄の角部に図８（ａ）の角保護具を当てた状態を示す斜視図である。
【図１０】図１０は、図９（ａ）の鞄の角部に図８（ａ）の角保護具を装着した状態を示す斜視図である。
【図１１】図１１は、図８（ａ）の角保護具で角部を補強した鞄の斜視図である。
【考案を実施するための形態】
【００１２】
以下、添付の図面を参照して実施形態について説明する。
【００１３】
図１は、実施形態に係る鞄（箱状容器）の斜視図である。
【００１４】
図１に示す鞄１００は、樹脂シートや厚紙などで形成された本体１０２と、その本体１０２に取り付けられた持手１０４とを備えた手提げ鞄（箱状容器）である。
【００１５】
本体１０２は薄い箱型に形成されている。ここでは、持手１０４を上側にして鞄１００を立てたときに、床面に向かい合う面を底面１０１とする。その底面１０１の周囲には、側面１０２ａ、１０２ｃ、正面１０２ｂ及び背面１０２ｄが形成されている。側面１０２ａ、１０２ｃの幅（横方向の長さ）は、正面１０２ｂ及び背面１０２ｄの幅よりも狭い。
【００１６】
このような箱型の手提げ鞄１００では、壁や床にぶつかったり床と擦れるなどして、その底部の角が凹んだり割れたりしやすいという問題がある。
【００１７】
そこで、本実施形態の手提げ鞄１００では、図示のように、底部の角に角保護具１０を取り付けている。その角保護具１０は、鞄１００の底面１０１、側面１０２ａ（又は１０２ｃ）、正面１０２ｂ及び背面１０２ｄの一部を覆っている。
【００１８】
図２は、本実施形態に係る角保護具１０の斜視図であり、図３は角保護具１０を展開した状態で示す斜視図である。
【００１９】
図３に示すように、角保護具１０は、鞄１００の底面１０１を覆う底面保護板１１を備え、その底面保護板１１からは直角に屈曲した屈曲部１１ａを介して側面保護板１２が伸びている。この側面保護板１２は、鞄１００の側面１０２ａ（又は側面１０２ｂ）を覆う。
【００２０】
底面保護板１１と側面保護板１２は、硬質の樹脂板によって一体的に形成されており、外部からの力によって変形しにくくなっている。
【００２１】
また、底面保護板１１の左右には、鞄１００の正面１０２ｂ及び背面１０２ｄを覆う羽根部１４（１４ａ、１４ｂ）がそれぞれ設けられている。この羽根部１４は、図３の拡大断面図に示すように楔状に切り欠かれた肉薄のヒンジ部１３を介して底面保護板１１につながっている。
【００２２】
そして羽根部１４は、このヒンジ部１３を軸にして、図中の矢印に示すように回転させることができる。
【００２３】
なお、ヒンジ部１３は、肉薄の溝としてだけでなく、機械的な回転部を有するヒンジとしてもよい。
【００２４】
羽根部１４には、鞄１００の正面１０２ｂ又は背面１０２ｄを覆う保護板１４ａと、その保護板１４ａから垂直に屈曲して伸び出たロック部１４ｂとを備えている。
【００２５】
また、羽根部１４の保護板１４ａには、取り付け対象となる鞄１００の本体に差し込まれる突出片１５が設けられている。この突出片１５が鞄１００に噛みこむと、底面保護板１１と突出片１５との間で鞄１００の底面１０１が保持される。また、側面保護板１２と突出片１５との間で側面１０２が保持される。これにより、角保護具１０ががたつくことなく鞄１００に固定される。
【００２６】
ロック部１４ｂは、側面保護板１２と略平行な向きに形成されており、図２に示すように羽根部１４を直立させると側面保護板１２の内側に重なる。
【００２７】
また、図３に示すように、ロック部１４ｂの外側の面（図３において紙面の奥側の面）にはロック部１４ｂを側面保護板１２に係合するための爪部１６が形成されている。
【００２８】
一方で、側面保護板１２の内側の面には、爪部１６に対応する部分に凹部１７が設けられており、その凹部１７に爪部１６が噛み合うようになっている。
【００２９】
図２に示すように、底面保護板１１の両側の羽根部１４を持ち上げて垂直に立てると、ロック部１４ｂが側面保護板１２に重なる。そして、凹部１７とロック部１４ｂの爪部１６とが噛み合うことで、羽根部１４が側面保護板１２に固定される。
【００３０】
以下、角保護具１０の取り付け方法について説明する。
【００３１】
図４は、角保護具１０を鞄１００に取り付ける方法を示す斜視図である。
【００３２】
図４に示すように、展開した状態の角保護具１０を、取り付け対象とする鞄１００の底面１０１及び側面１０２ａを覆うように配置する。このとき、ヒンジ部１３は、正面１０２ｂ及び背面１０２ｄの下端に位置する。
【００３３】
次に、図中の矢印に示すように、ヒンジ部１３に沿って羽根部１４を持ち上げるようにして折り曲げる。
【００３４】
鞄１００の正面１０２ｂ及び背面１０２ｄには、開口１０４ａが設けられているが、その開口１０４ａに羽根部１４の突出片１５を挿入するように羽根部１４を折り曲げる。
【００３５】
このようにして、開口１０４ａに突出片１５が挿入されることにより、角保護具１０が鞄１００に固定される。また、角保護具１０の側面保護板１２と鞄１００の側面１０２ａとの間に、羽根部１４のロック部１４ｂを差し込む。
【００３６】
そして、ロック部１４ｂの爪部１６が、側面保護板１２の凹部１７にかみ合うまで羽根部１４を押し込むことで、羽根部１４と側面保護板１２とが固定される。
【００３７】
以上により、角保護具１０の鞄１００への装着が完了する。
【００３８】
図５（ａ）及び図５（ｂ）は、角保護具１０の作用を示す断面図である。なお、図５（ａ）は、図２の矢印ＡＡ間に対応する部分の断面を示し、図５（ｂ）は図２の矢印ＢＢ間に対応する部分の断面を示す。
【００３９】
図５（ａ）及び図５（ｂ）に示すように、鞄１００に装着された角保護具１０は、一対の羽根部１４によって鞄１００の正面１０２ｂ、背面１０２ｄを挟み込むとともに、突出片１５が鞄１００に噛み込む。
【００４０】
このとき、鞄１００の底面１０１は突出片１５と底面保護板１１とに挟まれて保持される。
【００４１】
また、鞄１００の側面１０２ａは、突出片１５と側面保護板１２とに挟まれて保持される。その結果、角保護具１０が鞄１００にがたつくことなく固定された状態となる。
【００４２】
さらに、図中の矢印に示すように、角保護具１０を鞄１００に装着した状態では、鞄１００の側面１０２ａと側面保護板１２とからロック部１４ｂを挟み込む力が作用し、ロック部１４ｂの爪部１６が側面保護板１２の凹部１７に押し付けられて強く噛み合った状態に保持される。これにより、羽根部１４は側面保護板１２にしっかりと固定され、羽根部１４が衝撃などで外れることなく側面保護板１２に固定される。
【００４３】
以上のように、本実施形態の角保護具１０によれば、底面保護板１１及び側面保護板１２を鞄１００の底面１０１及び側面１０２ａに当てた後、羽根部１４のロック部１４ｂを側面保護板１２と側面１０２ａとの間に挟み込むだけで確実に装着できる。
【００４４】
このため、手作業のみで角保護具１０を鞄１００に装着でき、リベット留め、溶着、接着といったコストのかかる機械加工が不要となり、安価に鞄１００の底部の補強を行える。
【００４５】
（第１実施形態の実施例）
図６（ａ）は、本実施形態の実施例に係る角保護具を展開した状態で示す斜視図であり、図６（ｂ）は図６（ａ）の角保護具を組み立てた状態で示す斜視図である。
【００４６】
図６（ａ）に示すように、本実施例の角保護具２０は、鞄（箱状容器）１００の底面１０１を覆う底面保護板２１と、その底面保護板２１から垂直に伸び出た側面保護板２２とを備えている。
【００４７】
側面保護板２２には、肉厚部２８が設けられており、この肉厚部２８によって側面保護板２２の補強が図られるとともに、鞄１００の側面１０２ａとの間にロック部２４ｂを挿入するための隙間を生み出すようになっている。
【００４８】
また、側面保護板２２には、凹部２７が複数箇所に設けられており、羽根部２４の保持能力を高めている。
【００４９】
底面保護板２１の両側には、ヒンジ部２３を介して羽根部２４がそれぞれ伸び出ている。
【００５０】
本実施例の羽根部２４は、鞄１００の底部の形状に追随するべく、傾斜部２４ｃが設けられており、その傾斜部２４ｃの横に保護板２４ａが設けられている。
【００５１】
図６（ｂ）のように、角保護具１０を組み立てると、この傾斜部２４ｃによって、角保護具２０の底部に斜めに傾斜した面が現れる。これにより、鞄１００の底面の側端部が傾斜面で構成されている場合において、角保護具１０と鞄１００とが一体的な外観を実現できる。
【００５２】
なお、鞄１００の底面及び側面の境界が曲面で構成されている場合には、傾斜部２４を曲面で構成してもよい。
【００５３】
保護板２４ａの端部からは、ロック部２４ｂが底面保護板２１と平行な向きに伸び出ている。そのロック部２４ｂには、凹部２７に係合する複数の爪部２６が設けられている。
【００５４】
図６（ａ）に示すように、傾斜部２４ｃには、底面保護板２１と協働して鞄１００の底面１０１を保持する突出片２５が設けられている。また、保護板２４ａには、側面保護板２２と協働して鞄１００の側面１０２ａを保持する突出片２５が設けられている。
【００５５】
底面保護板２１付近の突出片２５は、角保護具２０を組み立てた際に底面保護板２１と平行となる向きに形成され、側面保護板２２付近の突出片は側面保護板２２と平行となる向きに形成されている。
【００５６】
このような、角保護具２０は、ヒンジ部１３に沿って羽根部２４を折り曲げ、さらにロック部２４ｂの爪部２６を側面保護板２２の凹部２７に噛み合わせることで、図６（ｂ）に示すように組み上がる。
【００５７】
本実施例の角保護具２０では、側面保護板２２を肉厚部２２ａで補強するとともに、複数の爪部２６及び凹部２７を噛み合わせることにより、側面保護板２２と羽根部２４とをより強固に固定することができ、鞄１００の底部をより確実に保護できる。
【００５８】
（第２実施形態）
図７（ａ）は、第２実施形態に係る角保護具を展開した状態で示す斜視図であり、図７（ｂ）は、図７（ａ）の角保護具を鞄１００の底部に取り付けた状態を示す斜視図である。
【００５９】
図７（ａ）に示すように、本実施形態の角保護具３０では、鞄１００の底面１０１を覆う底面保護板３１の両側部から、それぞれ側面保護板３２ａ、３２ｂが垂直に伸び出ている。側面保護板３２ａ、３２ｂは底面保護板３１と一体的に形成されており、変形しにくくなっている。
【００６０】
側面保護板３２ａ、３２ｂの内側の面には、凹部３７が設けられている。
【００６１】
また、底面保護板３１の側面保護板３２ａ、３２ｂが形成されていない側辺からは、羽根部３４が伸び出ている。
【００６２】
この羽根部３４は、ヒンジ部３３を介して底面保護板３１とつながっており、そのヒンジ部３３を中心に、図中の矢印に示す方向に折り曲げることができる。
【００６３】
羽根部３４の両側部からは、板状のロック部３４ｂがそれぞれ垂直に伸び出ている。それらのロック部３４ｂは、側面保護板３２ａ、３２ｂと平行な向きに伸びており、羽根部３４を折り曲げると、ロック部３４ｂは側面保護板３２ａ、３２ｂの内側の面に接触する。
【００６４】
また、ロック部３４ｂの外側の面には、側面保護板３２ａ、３２ｂの凹部３７と噛み合う爪部３６が設けられている。
【００６５】
さらに、羽根部３４の保護板３４ａと底面保護板３１とには、鞄１００の本体に挿入される突出片３５が設けられている。
【００６６】
図７（ｂ）に示すように、本実施形態の角保護具３０は、底面保護板３１及び側面保護板３２ａ、３２ｂを鞄１００の底部の角部付近に下から被せるようにしてはめ込む。これにより、鞄１００の底面１０１が底面保護板３１で覆われ、鞄１００の正面１０２ｂ及び背面１０２ｄがそれぞれ側面保護板３２ａ、３２ｂで覆われる。
【００６７】
その後、羽根部３４を折り曲げ、羽根部３４のロック部３４ｂを側面保護板３２ａ、３２ｂと鞄１００の隙間に差し込み、ロック部３４ｂの爪部３６と側面保護板３２ａ、３２ｂの凹部３７とを噛み合わせて固定する。
【００６８】
これにより、角保護具３０が鞄１００に装着される。
【００６９】
本実施形態の角保護具３０によっても、手作業のみで鞄１００に角保護具３０を装着することができ、低コストで鞄１００の底部の補強を行うことができる。
【００７０】
（第３実施形態）
図８（ａ）は、第３実施形態に係る角保護具を展開した状態で示す斜視図であり、図８（ｂ）は図８（ａ）の角保護具を組み立てた状態で示す斜視図である。
【００７１】
図８（ａ）に示すように、本実施形態の角保護具４０は、鞄の底面を覆う底面保護板４１と、その底面保護板４１から直角に屈曲して伸びる側面保護板４２とを備えている。側面保護板４２及び底面保護板４１は剛性を有する材料で一体的に形成されている。
【００７２】
また、底面保護板４１の横には、羽根部４４が設けられている。
【００７３】
羽根部４４は、ヒンジ部４３を介して底面保護板４１に繋がった保護板４４ａと保護版４４ａから直角に屈曲して伸びたロック部４４ｂとを備えている。保護板４４ａは、ヒンジ部４３を中心にして、矢印に示す向きに回転させることができる。
【００７４】
また、ロック部４４ｂは、側面保護板４２と平行な向きに形成されている。ヒンジ部４３にそって羽根部４４を折り曲げると、図７（ｂ）に示すように、ロック部４４ｂは、側面保護板４２の内側の面に接触する。
【００７５】
ロック部４４ｂの外側の面には、爪部４６が形成されている。また、側面保護板４２のその爪部４６に対向する部分には凹部４７が形成されており、爪部４６が凹部４７に噛み合わせることで、羽根部４４を側面保護板４２に固定することができる。
【００７６】
以下、本実施形態の角保護具４０の装着方法について説明する。
【００７７】
図９（ａ）は、取り付け対象となる鞄２００の角部付近の斜視図であり、図９（ｂ）は角保護具４０を鞄２００に取り付ける方法を示す斜視図である。また、図１０は、角保護具４０を鞄２００の角部に装着した状態を示す斜視図である。
【００７８】
図９（ａ）に示すように、鞄２００の底面２０１には、角保護具４０の突出片４５を挿入するための開口２０４ａが形成され、側面２０２ｂには開口２０４ｂが形成されている。
【００７９】
まず、図９（ｂ）に示すように、鞄２００の角部に角保護具４０の底面保護板４１の角を合わせて、角保護具４０の底面保護板４１及び側面保護板４２を鞄２００の底面２０１及び側面２０２ｂに重ね合わせる。
【００８０】
そして、底面保護板４１の突出片４５ａが開口２０４ａに挿入する。これにより、角保護具４０が鞄２００に位置決めされる。
【００８１】
次に、ヒンジ部４３に沿って羽根部４４を折り曲げて保護板４４ａで側面２０２ｂを覆う。その際に、ロック部４４ｂを側面保護板４２と側面２０２ａとの隙間に差し込み、突出片４５ｂを側面２０２ｂの開口２０４ｂに挿入する。
【００８２】
これにより、図１０に示すように、角保護具４０の突出片４５ａ、４５ｂと底面保護板４１若しくは側面保護板４２とによって鞄２００が挟まれて角保護具４０が鞄２００に固定される。また、ロック部４４ｂの爪部４６と側面保護板４２の凹部４７とが噛み合うこと羽根部４４が側面保護板４２に固定される。
【００８３】
角保護具４０のロック部４４ｂは、鞄２００の側面２１３からの圧力を受けて、側面保護板４２に強固に固定される。これにより、角保護具４０が、突出片４５ａ、４５ｂによって鞄２００により保持された状態が維持され、角保護具４０を確実に鞄２００に取り付けることができる。
【００８４】
図１１は、本実施形態の角保護具によって補強された鞄２００を示す斜視図である。
【００８５】
図示のように、本実施形態の角保護具４０は、底部２０１の４つの角部にそれぞれ取り付けられる。
【００８６】
本実施形態の角保護具４０は、手作業のみで鞄２００に取り付けることができるため、低コストで鞄２００の角部を補強できる。
【００８７】
また、図示のように、１つの角保護具４０が１つの角部のみを保護するため、厚みｄが大きな鞄２００の補強に好適である。
【００８８】
（その他の実施形態）
上記の諸実施形態に係る角保護具では、鞄に取り付ける例を示したが、これに限られるものではなく、鞄、レタートレイ、箱状の引出し等の種々の箱状容器に取り付けることができる。
【符号の説明】
【００８９】
１０、２０、３０、４０…角保護具、１１、２１、３１、４１…底面保護板、１２、２２、３２、４２…側面保護板、１３、２３、３３、４３…ヒンジ部、１４、２４、３４、４４…羽根部、１４ａ、２４ａ、３４ａ、４４ａ…保護板、１４ｂ、２４ｂ、３４ｂ、４４ｂ…ロック部、１５、２５、３５、４５…突出片、１６、２６、３６、４６…爪部、１７、２７、３７、４７…凹部、２８…肉厚部、１００、２００…鞄、１０１、２０１…底面、１０２ａ、１０２ｃ、２０２ａ、２０２ｂ…側面、１０２ｂ…正面、１０２ｄ…背面、１０４ａ、２０４ａ、２０４ｂ…開口。
【図１】
0003199044.tif 000003
【図２】
0003199044.tif 000004
【図３】
0003199044.tif 000005
【図４】
0003199044.tif 000006
【図５】
0003199044.tif 000007
【図６】
0003199044.tif 000008
【図７】
0003199044.tif 000009
【図８】
0003199044.tif 000010
【図９】
0003199044.tif 000011
【図１０】
0003199044.tif 000012
【図１１】
0003199044.tif 000013
【手続補正書】
【提出日】平成27年6月4日(2015.6.4)
【手続補正１】
【補正対象書類名】実用新案登録請求の範囲
【補正対象項目名】全文
【補正方法】変更
【補正の内容】
【実用新案登録請求の範囲】
【請求項１】
箱状容器の角部に取り付ける角保護具であって、
前記箱状容器の角部付近の底面を覆う底面保護板と、
前記底面保護板と一体的に形成され、前記箱状容器の側面を覆う側面保護板と、
ヒンジ部を介して前記底面保護板と繋がっており、前記ヒンジ部に沿って折り曲げることで前記箱状容器を保持する羽根部と、
を備えたことを特徴とする角保護具。
【請求項２】
前記羽根部は、前記側面保護板と係合して羽根部が前記箱状容器に噛みこんだ状態を保つロック部を有することを特徴とする請求項１に記載の角保護具。
【請求項３】
前記羽根部は、前記箱状容器側に突き出た突出片を備え、該突出片が前記箱状容器を開口に挿入されることで、前記箱状容器が該突出片と前記底面保護板又は前記側面保護板とによって挟まれて保持されることを特徴とする請求項１又は請求項２に記載の角保護具。
【請求項４】
前記羽根部は、前記底面保護板の両側に２つ設けられていることを特徴とする請求項１に記載の角保護具。
【請求項５】
前記羽根部は、前記底面保護板の片側に１つ設けられていることを特徴とする請求項１に記載の角保護具。
【請求項６】
前記ロック部は、前記側面保護板に係合する爪部を有していることを特徴とする請求項２に記載の角保護具。
【請求項７】
前記ロック部は、前記側面保護板と前記箱状容器の側面との隙間に挟まれて前記側面保護板に係合することを特徴とする請求項６に記載の角保護具。
【請求項８】
箱状の本体と、
前記本体の角部付近の底面を覆う底面保護板と、前記底面保護板と一体的に形成され、前記本体の側面を覆う側面保護板と、ヒンジ部を介して前記底面保護板と繋がっており、前記ヒンジ部に沿って折り曲げることで前記本体を保持する羽根部と、を備えた角保護具と、
を備えたことを特徴とする箱状容器。